(57)【要約】      （修正有）【課題】第一支持部および第二支持部が上下方向に重なって設けられる構成において、画像読取後のシートを支持する第二支持部に画像読取前のシートが誤ってセットされることを抑制できる画像読取装置を提供する。【解決手段】画像読取装置１には、給紙積載部１１および給紙支持部３４、３５および排紙積載部および第一カバー３が上下方向に重なって設けられている。第一カバー３の排紙支持面３１は、規制部６５を備えている。画像読取前のシートＳが排紙支持面３１へのシートＳの排出方向と逆方向から排紙支持面３１上に誤って差し入れられると、規制部６５により、そのシートＳの差し入れ（挿入）が規制される。【選択図】図２
2015122554.tif 000002
【特許請求の範囲】
【請求項１】
シートに記録された画像を読み取る読取部と、
前記読取部に向けて搬送されるシートを支持する第一支持部と、
前記読取部による画像読取後のシートが排出され、当該シートを支持する第二支持部と
を備え、
前記第一支持部および前記第二支持部は、上下方向に重なって設けられ、
前記第二支持部は、シートが前記第二支持部へのシートの排出方向と逆方向から前記第二支持部上に差し入れられることを規制する規制部を備える、画像読取装置。
【請求項２】
請求項１に記載の画像読取装置であって、
前記第二支持部は、
前記第一支持部に向けて突出し、前記排出方向に延びる第一突条部と、
前記第一突条部に対して前記排出方向の下流側に間隔を空けて設けられ、前記第一支持部に向けて突出して、前記排出方向に延びる第二突条部と
を備え、
前記規制部は、前記第一突条部と前記第二突条部との間に生じる凹みを形成する面である、画像読取装置。
【請求項３】
請求項２に記載の画像読取装置であって、
前記第二突条部は、前記排出方向上流側の端部の高さが前記第一突条部に近づくにつれて低くなるように設定されている、画像読取装置。
【請求項４】
請求項２に記載の画像読取装置であって、
前記第二突条部は、前記排出方向上流端の高さが前記第一突条部における前記排出方向下流端の高さよりも低く設定されている、画像読取装置。
【請求項５】
請求項１〜４のいずれか一項に記載の画像読取装置であって、
前記第一支持部は、前記第二支持部の上方に位置し、前記読取部に向けて搬送されるシートの搬送方向および上下方向の両方に直交する幅方向に延び、前記幅方向の中央部が切り欠かれた切欠部分を有し、
前記第二支持部は、前記排出方向に延びる第三突条部を備えると共に、前記第一支持部の切欠部分を介して露出する露出領域を有し、前記露出領域における排出方向上流側にある所定部は、前記第三突条部の高さが、それ以外の第三突条部の高さよりも高く設定されている、画像読取装置。
【請求項６】
請求項５に記載の画像読取装置であって、
前記所定部における前記第三突条部同士の間は、所定部以外における前記第三突条部同士の間よりも下方に凹んでいる、画像読取装置。
【請求項７】
請求項５または６に記載の画像読取装置であって、
前記規制部は、前記第一支持部における前記切欠部分に対して前記幅方向に隣接する部分の下方に設けられている、画像読取装置。
【請求項８】
請求項５〜７のいずれか一項に記載の画像読取装置であって、
前記第二支持部は、前記露出領域における前記所定部に対する前記排出方向の下流側であって、前記第二突条部に対して前記幅方向に隣接して設けられ、前記排出方向に延びる第四突条部を備え、
前記第四突条部は、その高さが前記第二突条部の高さよりも高く設定されている、画像読取装置。
【請求項９】
請求項５〜８のいずれか一項に記載の画像読取装置であって、
前記第一支持部は、第一固定部および第一移動部に分割されており、
前記第一移動部は、前記第一固定部に対して前記搬送方向上流側に位置する第一位置と、前記第一固定部に対して上方から対向する第二位置との間で変位可能に構成されている、画像読取装置。
【請求項１０】
請求項９に記載の画像読取装置であって、
前記第一移動部における前記排出方向上流側の端部に設けられ、前記第二支持部に排出されるシートを除電する除電部を備える、画像読取装置。
【請求項１１】
請求項５〜１０のいずれか一項に記載の画像読取装置であって、
前記第二支持部は、第二固定部および第二移動部に分割されており、
前記第二移動部は、前記第二固定部に対する前記排出方向下流側に位置する使用位置と、前記第二固定部に対して上方から対向する不使用位置とに変位可能に構成され、
前記第二移動部は、前記第二固定部における前記排出方向下流側の端部に沿って前記幅方向に延びる軸線を中心に回動可能に前記第二固定部に連結され、回動により、前記使用位置と前記不使用位置とに変位し、
前記第三突条部は、前記第二固定部に形成されており、
前記所定部は、前記第二移動部が前記使用位置に位置する状態で、前記第二移動部の前記排出方向上流側の端部の上面が当接して、前記第二移動部のそれ以上の回動を規制する、画像読取装置。
【請求項１２】
請求項１〜１１のいずれか一項に記載の画像読取装置であって、
前記第一支持部は、前記第二支持部の上方に位置しており、
前記第一支持部から前記第二支持部側に突出して設けられ、前記第二支持部に排出されるシートを除電する除電部を備える、画像読取装置。
【発明の詳細な説明】
【技術分野】
【０００１】
本発明は、画像読取装置に関する。
【背景技術】
【０００２】
たとえば、特許文献１には、原稿を搬送しつつ、原稿の画像を読み取るＡＤＦ（Auto
Document Feeder）方式の画像読取装置が開示されている。
【０００３】
この画像読取装置には、給紙口から給紙されるシートを載置する給紙トレイと、排紙口から排紙されるシートを載置する排紙トレイとが備えられている。給紙トレイは、給紙口を開放する位置と給紙口を覆う位置とに開閉可能に設けられている。排紙トレイは、排紙口を開放する位置と排紙口を覆う位置とに開閉可能に設けられている。そして、給紙トレイが給紙口を開放する位置から給紙口を覆う位置に移動されると、それに連動して、排紙トレイが排紙口を開放する位置から排紙口を覆う位置に移動されるように構成されている。
【０００４】
この画像読取装置では、給紙トレイが給紙口を開放する位置に移動し、排紙トレイが排紙口を開放する位置に移動する使用状態において、給紙トレイが排紙トレイの上側に重なった状態となる。
【先行技術文献】
【特許文献】
【０００５】
【特許文献１】特開２００２−１４５４５７号公報
【発明の概要】
【発明が解決しようとする課題】
【０００６】
この種の画像読取装置には、給紙トレイが排紙トレイの上側に配置される構成のものと、排紙トレイが給紙トレイの上側に配置される構成のものとがある。そのため、ユーザは、給紙トレイおよび排紙トレイの２つのトレイの区別がつきにくく、給紙トレイにセットすべき原稿を排紙トレイに誤ってセットするおそれがある。
【０００７】
本発明の目的は、第一支持部および第二支持部が上下方向に重なって設けられる構成において、画像読取後のシートを支持する第二支持部に画像読取前のシートが誤ってセットされることを抑制できる、画像読取装置を提供することである。
【課題を解決するための手段】
【０００８】
前記の目的を達成するため、本発明に係る画像読取装置は、シートに記録された画像を読み取る読取部と、読取部に向けて搬送されるシートを支持する第一支持部と、読取部による画像読取後のシートが排出され、当該シートを支持する第二支持部とを備え、第一支持部および第二支持部は、上下方向に重なって設けられ、第二支持部は、シートが第二支持部へのシートの排出方向と逆方向から第二支持部上に差し入れられることを規制する規制部を備える。
【０００９】
この構成によれば、第二支持部は、規制部を備えている。画像読取前のシートが第二支持部へのシートの排出方向と逆方向から第二支持部上に誤って差し入れられると、規制部により、そのシートの差し入れ（挿入）が規制される。その結果、シートが第二支持部にセットされることを抑制できる。よって、ユーザの使い勝手を向上することができる。
【００１０】
第二支持部は、第一支持部に向けて突出し、排出方向に延びる第一突条部と、第一突条部に対して排出方向の下流側に間隔を空けて設けられ、第一支持部に向けて突出して、排出方向に延びる第二突条部とを備え、規制部は、第一突条部と第二突条部との間に生じる凹みを形成する面であってもよい。
【００１１】
この構成によれば、第一突条部と第二突条部との間において凹みを形成する面と、第一突条部の上端とに段差が生じるので、シートが排出方向と逆方向から第二支持部に誤って差し入れられると、そのシートの先端は、凹みに入り込んで、第一突条部に当接する。これにより、それ以上のシートの挿入が規制される。その結果、シートが第二支持部に誤ってセットされることを抑制できるとともに、その誤りをユーザに知らせることができる。
【００１２】
第二突条部は、排出方向上流側の端部の高さが第一突条部に近づくにつれて低くなるように設定されていてもよい。
【００１３】
これにより、シートが排出方向と逆方向から第二支持部上に差し入れられたときに、シートの先端が第二突条部の上端に案内されることにより第一突条部と第二突条部との間の凹みに入りやすい。そのため、シートが第二支持部にセットされることを一層抑制することができる。また、第二支持部上に排出される画像読取後のシートの先端が第一突条部と第二突条部との間の凹みに入り込んでも、シートの排出が進むと、シートの先端が第二突条部の上端に案内されることにより凹みから脱出する。よって、シートを第二支持部上に良好に排出することができる。
【００１４】
第二突条部は、排出方向上流端の高さが第一突条部における排出方向下流端の高さよりも低く設定されていてもよい。
【００１５】
これにより、シートが排出方向と逆方向から第二支持部上に差し入れられたときに、シートの先端が第一突出部の排出方向下流端に当接しやすい。そのため、シートが第二支持部にセットされることを一層抑制することができる。また、第二支持部上に排出される画像読取後のシートは、第二突条部の上流側の端縁に当接しにくくなる。よって、シートを第二支持部上に良好に排出することができる。
【００１６】
第一支持部は、第二支持部の上方に位置し、読取部に向けて搬送されるシートの搬送方向および上下方向の両方に直交する幅方向に延び、幅方向の中央部が切り欠かれた切欠部分を有し、第二支持部は、排出方向に延びる第三突条部を備えると共に、第一支持部の切欠部分を介して露出する露出領域を有し、露出領域における排出方向上流側にある所定部は、第三突条部の高さが、それ以外の第三突条部の高さよりも高く設定されていてもよい。
【００１７】
第二支持部に排出されるシートの搬送方向の長さが比較的短い場合、シートの搬送方向下流端が第二支持部における搬送方向上流側の端部上に留まる。第一支持部に切欠部分が設けられているので、切欠部分を利用することにより、第一支持部が邪魔にならずに、その搬送方向の長さの短いシートを第二支持部から容易に取り出すことができる。また、切欠部分を介してシートを視認することができるので、シートの取り残しを抑制することができる。
【００１８】
また、第三突条部は、露出領域の所定部における高さがそれ以外の部分における高さよりも高く設定されているので、シートの搬送方向下流端と第三突条部が立設されている面との隙間を大きくすることができる。そのため、隙間を介して、ユーザが手指でシートを摘みやすく、シートを第二支持部から容易に取り出すことができる。
【００１９】
さらに、第三突条部の全体を高くした場合には、第三突条部の上端と第一支持部との間の間隔が狭くなり、シートを排出する性能が低下するおそれがある。これに対し、第三突条部の一部である所定部だけが高くされることにより、シートの排出性能の低下を招くことなく、シートの取り出しやすさを向上させることができる。
【００２０】
所定部における第三突条部同士の間は、所定部以外における第三突条部同士の間よりも下方に凹んでいてもよい。
【００２１】
これにより、第三突条部の上端縁の位置を所定部とそれ以外の部分とで同じにしたまま、所定部における第三突条部の高さをそれ以外の部分の高さより高く設定できる。そのため、第三突条部の上端と第一支持部との間隔を小さくせずに、シートの取り出しやすさを向上させることができる。
【００２２】
規制部は、第一支持部における切欠部分に対して幅方向に隣接する部分の下方に設けられていてもよい。
【００２３】
この構成によれば、規制部は、第一支持部によって覆われるので、規制部が設けられることによる見栄えの低下を抑制できる。
【００２４】
第二支持部は、露出領域における所定部に対する排出方向の下流側であって、第二突条部に対して幅方向に隣接して設けられ、排出方向に延びる第四突条部を備え、第四突条部は、その高さが第二突条部の高さよりも高く設定されていてもよい。
【００２５】
この構成によれば、第四突条部の高さが第二突条部の高さよりも高く設定されているので、第二支持部に排出されるシートの搬送方向の長さが比較的長い場合に、シートの搬送方向下流端と第二支持部の面との隙間を大きくすることができる。そのため、ユーザが隙間を介して手指でシートを摘みやすく、シートを第二支持部から容易に取り出すことができる。また、第二支持部上において、シートは、幅方向の中央が幅方向の両端よりも第一支持部側に膨出した状態に排出される。そのため、シートに腰を持たせることができ、第二支持部に複数枚シートが排紙される場合に、積載性を向上することができる。また、シートの幅方向の両端が第二支持部から浮くことが抑制され、シートが第二支持部の外周縁に乗り上げることを抑制できる。
【００２６】
第一支持部は、第一固定部および第一移動部に分割されており、第一移動部は、第一固定部に対して搬送方向上流側に位置する第一位置と、第一固定部に対して上方から対向する第二位置との間で変位可能に構成されていてもよい。
【００２７】
第一支持部の第一移動部を第一固定部に対する上方の位置に変位可能に構成し、かつ、装置を上下方向に小型化するためには、第一支持部と第二支持部との間隔を小さくする必要がある。第一支持部と第二支持部との間隔が小さくても、シートが第二支持部に誤ってセットされることを抑制できる。また、第一支持部と第二支持部との間隔が小さくても、シートを第二支持部から容易に取り出すことができる。
【００２８】
第一移動部における排出方向上流側の端部に設けられ、第二支持部に排出されるシートを除電する除電部を備えてもよい。
【００２９】
除電部により、第二支持部に排出されるシートが除電されるため、静電気によってシートが第一移動部の下面に張り付くことを抑制できる。
【００３０】
第二支持部は、第二固定部および第二移動部に分割されており、第二移動部は、第二固定部に対する排出方向下流側に位置する使用位置と、第二固定部に対して上方から対向する不使用位置とに変位可能に構成され、第二移動部は、第二固定部における排出方向下流側の端部に沿って幅方向に延びる軸線を中心に回動可能に第二固定部に連結され、回動により、使用位置と不使用位置とに変位し、第三突条部は、第二固定部に形成されており、所定部は、第二移動部が使用位置に位置する状態で、第二移動部の排出方向上流側の端部の上面が当接して、第二移動部のそれ以上の回動を規制してもよい。
【００３１】
第一支持部は、第二支持部の上方に位置しており、第一支持部から第二支持部側に突出して設けられ、第二支持部に排出されるシートを除電する除電部を備えてもよい。
【００３２】
除電部により、第二支持部に排出されるシートが除電されるので、静電気によってシートが第一支持部の下面に張り付くことを抑制できる。また、除電部は、第一支持部から第二支持部側に突出して設けられているので、除電部により、シートの先端が下側に向かうように、シートを案内することができる。
【発明の効果】
【００３３】
本発明によれば、第一支持部および第二支持部が上下方向に重なって設けられる構成において、画像読取後のシートを支持する第二支持部に画像読取前のシートが誤ってセットされることを抑制できる。
【図面の簡単な説明】
【００３４】
【図１】本発明の一実施形態に係る画像読取装置の斜視図であり、第一カバーが不使用位置に位置する状態を示す。
【図２】画像読取装置の斜視図であり、第一カバーが使用位置に位置する状態を示す。
【図３】画像読取装置の中央断面図であり、第一カバーが使用位置に位置する状態を示す。
【図４】画像読取装置の平面図であり、第一カバーが使用位置に位置し、スタックトレイが起立位置に位置する状態を示す。
【図５】画像読取装置の斜視図であり、第一カバーが使用位置に位置し、スタックトレイが起立位置に位置する状態を示す。
【図６】画像読取装置の斜視図であり、スタックトレイが倒伏位置に位置し、フィードトレイが起立位置に位置する状態を示す。
【図７】第一カバーの斜視図であり、給紙支持部が取り外された状態の排紙積載面側を示す。
【図８】第一カバーの排紙積載面側の一部を示す斜視図である。
【図９】規制部について説明するための断面図である。
【図１０】給紙支持部の斜視図であり、排紙ガイド部側の構成を示す。
【図１１】他の実施形態に係る規制部について説明するための断面図である。
【発明を実施するための形態】
【００３５】
以下では、本発明の実施の形態について、添付図面を参照しつつ詳細に説明する。
【００３６】
＜全体構成＞
【００３７】
図１、図２および図３に示されるように、画像読取装置１は、筐体２、第一カバー３および第二カバー４を備える。第一カバー３および第二カバー４は、筐体２により下側から支持されて、左右方向に互いに隣接している。
【００３８】
なお、筐体２に対して第一カバー３および第二カバー４が設けられている側を上側とし、第一カバー３に対して第二カバー４が設けられている側を右側として、上下、左右および前後の各方向を規定する。そして、図１以降の各図では、矢印で方向を表示する。
【００３９】
第一カバー３は、筐体２の左右方向の中央に対して右側に偏った位置に配置されている。第一カバー３は、前後方向に延びる回動軸線１０１を中心に、図１に示される不使用位置と図２に示される使用位置との間で変位可能に設けられている。第一カバー３は、図１に示されるように、不使用位置において、筐体２の上端に沿って延び、筐体２の上面を覆う上面カバーの一部を構成する。第一カバー３が不使用位置に位置する状態において、第一カバー３の上面５は、第一カバー３の右側に配置された第三カバー６の上面７と同一平面内に含まれ、その上面７とともに、画像読取装置１の平坦な装置上面８の一部を形成する。また、第一カバー３は、図２に示されるように、使用位置において、筐体２から右上がりに傾斜して延出する。
【００４０】
第二カバー４は、図１に示される上位置と図２に示される下位置とに変位可能に設けられている。第二カバー４は、図１に示されるように、上位置において、筐体２の上端に沿って延び、筐体２の上面を覆う上面カバーの一部を構成する。第一カバー３が不使用位置に位置し、第二カバー４が上位置に位置する状態において、第二カバー４の上面９は、第一カバー３の上面５および第三カバー６の上面７と同一平面内に含まれ、平坦な装置上面８の一部を形成する。また、第二カバー４は、図２に示されるように、下位置において、筐体２の上部から左下がりに傾斜し、使用位置に位置する第一カバー３の下端側と略平行をなす位置関係となる。
【００４１】
筐体２内には、図３に示されるように、給紙積載部１１および排紙積載部１２が設けられている。給紙積載部１１および排紙積載部１２は、不使用位置に位置する第一カバー３の下方において、上下２段に構成されている。
【００４２】
給紙積載部１１は、スタックトレイ１０２およびフィードトレイ１０３を備えている。
【００４３】
スタックトレイ１０２は、フィードトレイ１０３の右側に位置している。スタックトレイ１０２は、前後方向に延びる回動軸線を中心に、図２に示される倒伏位置と図４および図５に示される起立位置とに変位可能に設けられている。また、フィードトレイ１０３は、前後方向に延びる回動軸線を中心に、図５に示される倒伏位置と図６に示される起立位置とに変位可能に設けられている。フィードトレイ１０３は、起立位置に位置する状態において、図６に示されるように、左右方向の中央より右側から右上側に傾斜して延びる。フィードトレイ１０３を起立位置に変位することで、排出ローラ５９付近でのジャム処理が可能となる。なお、フィードトレイ１０３は、実際には、第三カバー６がその右端部が持ち上がった状態に開かれないと、起立位置に移動させることができないが、図６には、排出ローラ５９近傍および排紙積載面２１が開放された状態を図示するために、第三カバー６が閉じられた状態でフィードトレイ１０３が起立位置に変位した状態が示されている。
【００４４】
スタックトレイ１０２およびフィードトレイ１０３が倒伏位置に位置する状態において、スタックトレイ１０２およびフィードトレイ１０３の上面により、図２に示されるように、第一カバー３が不使用位置から使用位置に変位されることにより露出する給紙積載面１３が構成される。給紙積載面１３には、平面部１４および傾斜部１５が含まれる。平面部１４は、装置上面８よりも凹んだ面であり、筐体２の上端よりも低い位置において、前後方向および左右方向に延びる略平面に形成されている。傾斜部１５は、平面部１４から右上がりに傾斜して延びている。傾斜部１５の前後方向の中央部には、切欠１６が形成されている。傾斜部１５は、切欠１６により、前傾斜部１７および後傾斜部１８に分割されている。前傾斜部１７と後傾斜部１８とは、前後方向に同じ幅を有している。前傾斜部１７および後傾斜部１８の右端部は、傾斜角度が小さくなるように湾曲している。図３では、後傾斜部１８のみを示すが、前傾斜部１７も同様の形状である。
【００４５】
スタックトレイ１０２は、起立位置に位置する状態において、図５に示されるように、左右方向の中央より右側から左上側に傾斜して延びる。
【００４６】
フィードトレイ１０３には、図２に示されるように、給紙積載面１３に、１対の給紙ガイド１９，２０が前後方向に互いに間隔を空けて設けられている。１対の給紙ガイド１９，２０は、それらの間の中央を基準として、互いに同じ移動量で近接および離間可能に構成されている。
【００４７】
排紙積載部１２は、図３に示されるように、給紙積載部１１の下方に位置している。排紙積載部１２は、排紙積載面２１を有している。排紙積載面２１は、給紙積載部１１の下方に間隔を空けて、前後方向および左右方向に延びている。排紙積載面２１の右端部２２は、給紙積載面１３の傾斜部１５と略平行をなすように右上がりに傾斜している。
【００４８】
第一カバー３は、上面５と反対側に、排紙支持面３１を有している。図２に示されるように、第一カバー３が使用位置に位置する状態において、排紙支持面３１の左前端部および左後端部となる位置には、それぞれ排紙ガイド部３２，３３が設けられている。排紙ガイド部３２，３３は、排紙支持面３１と一体に形成されることにより、排紙支持面３１に固定的に配置されている。排紙ガイド部３２，３３は、排紙支持面３１から起立し、左右方向に延びている。
【００４９】
排紙ガイド部３２，３３により、それぞれ給紙支持部３４，３５が支持されている。
【００５０】
給紙支持部３４，３５は、図２および図３に示される第一位置と給紙積載部１１の上側に位置する第二位置とに変位可能に設けられている。給紙支持部３４，３５は、第一カバー３と異なる色に着色されている。給紙支持部３４，３５は、前後方向に前傾斜部１７および後傾斜部１８と同じ幅を有する板状に形成されている。前側の給紙支持部３４は、第一位置において、排紙ガイド部３２の上端に支持され、後側に向けて、排紙支持面３１と略平行をなして延びている。後側の給紙支持部３５は、第一位置において、排紙ガイド部３３の上端に支持され、前側に向けて、排紙支持面３１と略平行をなして延びている。給紙支持部３４，３５は、第二位置において、給紙積載部１１に対して上側から対向する。
【００５１】
第一カバー３が使用位置に位置する状態において、給紙支持部３４，３５は、第一位置に位置する。給紙支持部３４，３５は、第一位置において、それぞれ前傾斜部１７および後傾斜部１８の右側に位置する。そして、給紙支持部３４，３５は、それぞれ前傾斜部１７および後傾斜部１８と略同一方向に傾斜する。給紙支持部３５の左端部は、図３に示されるように、後傾斜部１８の右端部よりも高い位置に配置される。同様に、給紙支持部３４の左端部は、前傾斜部１７の右端部よりも高い位置に配置される。また、第一カバー３が使用位置に位置する状態において、排紙支持面３１の左端部は、排紙積載面２１の右端部よりも低い位置に配置される。
【００５２】
筐体２内には、図３に示されるように、給紙積載部１１および排紙積載部１２の左側に、シートＳが搬送される搬送経路４１が空間として設けられている。搬送経路４１は、相対的に上側に位置する上経路４２と、相対的に下側に位置する下経路４３と、上経路４２および下経路４３の左側に設けられ、上経路４２と下経路４３とを接続する湾曲経路４４とを含む。なお、搬送経路４１は、原稿を搬送するための後述する各種ローラや、そのローラ間に位置するガイド面によって規定される。
【００５３】
搬送経路４１に沿って、１対の供給ローラ５１、分離ローラ５２、分離片５３、１対の搬送ローラ５４、イメージセンサモジュール５５、反転ローラ５６、従動ローラ５７，５８および１対の排出ローラ５９が設けられている。
【００５４】
１対の供給ローラ５１は、上経路４２の入口に配置されている。上経路４２の入口は、給紙積載部１１の左側に形成されている。一方の供給ローラ５１は、相対的に上側に位置し、前後方向に延びる回動軸線まわりに回動可能に設けられている。他方の供給ローラ５１は、相対的に下側に位置し、前後方向に延びる回動軸線まわりに回動可能に設けられている。上側の供給ローラ５１の周面と下側の供給ローラ５１の周面とは、互いに当接しており、その当接する部分が、上経路４２の一部を規定している。
【００５５】
分離ローラ５２は、上側の供給ローラ５１の左側に配置され、前後方向に延びる回動軸線まわりに回動可能に設けられている。
【００５６】
分離片５３は、分離ローラ５２の下側に配置されている。分離片５３は、分離ローラ５２の周面に下側から当接しており、その当接する部分が、上経路４２の一部を規定している。
【００５７】
１対の搬送ローラ５４は、分離ローラ５２の左側に配置されている。一方の搬送ローラ５４は、相対的に上側に位置し、前後方向に延びる回動軸線まわりに回動可能に設けられている。他方の搬送ローラ５４は、相対的に下側に位置し、前後方向に延びる回動軸線まわりに回動可能に設けられている。上側の搬送ローラ５４の周面と下側の搬送ローラ５４の周面とは、互いに当接しており、その当接する部分が、上経路４２の一部を規定している。
【００５８】
イメージセンサモジュール５５は、下側の搬送ローラ５４の左側に配置されている。イメージセンサモジュール５５の内部には、たとえば、光源、レンズおよびイメージセンサなどが設けられている。イメージセンサモジュール５５の上面には、コンタクトガラス６０が設けられている。コンタクトガラス６０の上面と、そのコンタクトガラス６０の上面と対向するガイド面とが、上経路４２の一部を規定している。
【００５９】
反転ローラ５６は、イメージセンサモジュール５５の左側に配置されている。反転ローラ５６は、前後方向に延びる回動軸線まわりに回動可能に設けられている。反転ローラ５６の左側の周面と、その周面と所定の隙間を有して対向する湾曲形状のガイド面とが、湾曲経路４４の一部を規定している。
【００６０】
従動ローラ５７は、反転ローラ５６の上側に配置されている。従動ローラ５７は、前後方向に延びる回動軸線まわりに回動可能に設けられている。従動ローラ５７の周面の一部は、反転ローラ５６の周面に当接しており、その当接する部分が湾曲経路４４の一部を規定している。
【００６１】
従動ローラ５８は、反転ローラ５６の左下側に配置されている。従動ローラ５８は、前後方向に延びる回動軸線まわりに回動可能に設けられている。従動ローラ５８の周面の一部は、反転ローラ５６の周面に当接しており、その当接する部分が湾曲経路４４の一部を規定している。
【００６２】
１対の排出ローラ５９は、下経路４３の出口に配置されている。下経路４３の出口は、排紙積載部１２の左側であって、排紙積載面２１の左端部の上側に間隔を空けた位置に形成されている。一方の排出ローラ５９は、相対的に上側に位置し、前後方向に延びる回動軸線まわりに回動可能に設けられている。他方の排出ローラ５９は、相対的に下側に位置し、前後方向に延びる回動軸線まわりに回動可能に設けられている。上側の排出ローラ５９の周面と下側の排出ローラ５９の周面とは、互いに当接しており、その当接する部分が、下経路４３の一部を規定している。
【００６３】
＜画像読取動作＞
【００６４】
１対の給紙ガイド１９，２０の位置は、図２に示されるように、読取対象のシートＳの前後方向の幅に合わせて調整される。シートＳは、先端部が給紙ガイド１９，２０の間に差し込まれ、給紙積載面１３および給紙支持部３４，３５上に、それらに跨がった状態で積載される。
【００６５】
シートＳの画像の読取開始が指示されると、１対の供給ローラ５１、分離ローラ５２、分離片５３、１対の搬送ローラ５４、反転ローラ５６、従動ローラ５７，５８および１対の排出ローラ５９が駆動系（図示せず）からの駆動力により回転し始める。供給ローラ５１の回転により、供給ローラ５１からシートＳに搬送力が付与され、シートＳが上経路４２を分離ローラ５２に向けて搬送される。シートＳが分離ローラ５２と分離片５３との当接部位に到達すると、シートＳは、分離ローラ５２と分離片５３との間に引き込まれ、１枚ずつに分離される。これにより、１枚のシートＳが分離ローラ５２と分離片５３との間を通過する。
【００６６】
その後、シートＳが１対の搬送ローラ５４の当接部位に到達すると、搬送ローラ５４からシートＳに搬送力が付与され、シートＳが上経路４２をさらに下流側へ搬送される。この搬送により、シートＳは、イメージセンサモジュール５５のコンタクトガラス６０上を通過し、反転ローラ５６と従動ローラ５７との当接部位に到達する。シートＳがコンタクトガラス６０上を通過するときに、イメージセンサモジュール５５により、シートＳの一方面の画像が読み取られる。
【００６７】
シートＳが反転ローラ５６と従動ローラ５７との当接部位に到達した後は、シートＳが湾曲経路４４を搬送される。その後、シートＳは、反転ローラ５６と従動ローラ５８との間を通過し、湾曲経路４４から下経路４３に進入する。シートＳが湾曲経路４４を搬送されることにより、シートＳの搬送方向が反転される。
【００６８】
下経路４３の入口は、筐体２の下面の一部が前後方向に開口されていることにより形成される。筐体２は、非図示の複合機に上方から結合されている。複合機は、画像形成ユニット等を収容しており、その上面には、読取対象のシートを載置するためのコンタクトガラス３０１が配置されている。コンタクトガラス３０１の下方には、図中左右方向に移動可能なイメージセンサモジュール３０２が配置されている。イメージセンサモジュール３０２の内部には、たとえば、光源、レンズおよびイメージセンサなどが設けられている。イメージセンサモジュール３０２は、搬送されるシートＳを読み取る際には、所定の停止位置に移動する。シートＳは、湾曲経路４４から下経路４３に進入する際に、コンタクトガラス３０１上を経由する。そして、シートＳがコンタクトガラス３０１上を通過するときに、停止位置にあるイメージセンサモジュール３０２により、シートＳの他方面の画像が読み取られる。
【００６９】
シートＳの搬送が進み、シートＳが下経路４３を搬送され、１対の排出ローラ５９の当接部位に到着すると、排出ローラ５９からシートＳに搬送力が付与されて、シートＳが下経路４３の出口から右側（排出方向）に向けて排出される。
【００７０】
排出されたシートＳは、排紙積載面２１を第一カバー３の排紙支持面３１上に向けて進行する。シートＳのサイズによっては、シートＳが排紙支持面３１上に差し掛かると、シートＳの前後方向の端縁が排紙ガイド部３２，３３に接触する。その後、排紙支持面３１上でのシートＳの進行に伴って、シートＳの前後方向の端縁が排紙ガイド部３２，３３に摺擦することにより、シートＳの向きが正されていく。シートＳが排出ローラ５９から放れると、シートＳは、排紙積載面２１および排紙支持面３１上に、それらに跨がった状態で積載される。
【００７１】
＜規制部＞
【００７２】
以下、第一カバー３の排紙支持面３１についての説明では、上下、左右および前後の各方向について、第一カバー３が不使用位置（図１参照）に位置している状態を基準とする。図７には、筐体２から取り外されて、天地反転された状態の第一カバー３が示されている。
【００７３】
排紙ガイド部３２，３３は、排紙積載面２１の右前端部および右後端部に立設されている。排紙ガイド部３２，３３は、前後対象な構成を有しているので、前側の排紙ガイド部３２の構成を取り上げて説明し、後側の排紙ガイド部３３の構成についての説明を省略する。
【００７４】
排紙ガイド部３２は、図８に示されるように、第一壁部９１、第二壁部９２、第三壁部９３、第四壁部９４、第五壁部９５、第六壁部９６、第七壁部９７、第八壁部９８および第九壁部９９を一体的に備えている。各壁部９１〜９９は、それぞれ排紙支持面３１から起立している。
【００７５】
第一壁部９１および第二壁部９２は、前後方向に間隔を空けて配置されている。第一壁部９１および第二壁部９２は、互いに平行をなして、左右方向に延びている。第二壁部９２は、第一壁部９１よりも左側に長く延びている。第二壁部９２の第一壁部９１側の面には、左右方向の略中央部に、第一壁部９１側に突出する突起１００が形成されている。
【００７６】
第三壁部９３は、第一壁部９１および第二壁部９２の各右端部に連結されて、前後方向に延びている。
【００７７】
第四壁部９４は、第一壁部９１の左端部と第二壁部９２の途中部とに連結されて、前後方向に延びている。
【００７８】
第五壁部９５は、第一壁部９１および第二壁部９２の各左端部間に連結されて、前左側に膨出するように湾曲している。
【００７９】
第六壁部９６は、第三壁部９３の左側に間隔を空けて配置されている。第六壁部９６は、第三壁部９３と平行をなして、前後方向に延びている。第六壁部９６の後端は、第二壁部９２に接続されている。第六壁部９６の前端と第一壁部９１との間には、隙間が設けられている。
【００８０】
第七壁部９７は、第三壁部９３と第六壁部９６との間に配置されている。第七壁部９７は、第二壁部９２と間隔を空けて、第二壁部９２と平行をなして、左右方向に延びている。第七壁部９７の右端は、第三壁部９３に接続されている。第七壁部９７の左端と第六壁部９６との間には、隙間が設けられている。
【００８１】
第八壁部９８は、第四壁部９４の右側に間隔を空けて配置されている。第八壁部９８は、第四壁部９４と平行をなして、前後方向に延びている。第八壁部９８の後端は、第二壁部９２に接続されている。第八壁部９８の前端と第一壁部９１との間には、隙間が設けられている。
【００８２】
第九壁部９９は、第四壁部９４と第八壁部９８との間に配置されている。第九壁部９９は、第二壁部９２と間隔を空けて、第二壁部９２と平行をなして、左右方向に延びている。第九壁部９９の左端は、第四壁部９４に接続されている。第九壁部９９の左端と第八壁部９８との間には、隙間が設けられている。
【００８３】
第一カバー３の右前端部および右後端部には、図７に示されるように、それぞれアーム１０４，１０５が設けられている。
【００８４】
前側のアーム１０４は、図８に示されるように、起立部１１１、延部１１２、先端部１１３およびボス１１４を一体的に有している。起立部１１１は、排紙支持面３１から起立している。延部１１２は、起立部１１１の上端から右側に延びている。先端部１１３は、延部１１２の右端から上方に延びている。ボス１１４は、先端部１１３から後側に突出している。
【００８５】
後側のアーム１０５は、前側のアーム１０４と前後対象な構成を有している。具体的には、起立部１２１、延部１２２、先端部１２３およびボス１２４を一体的に有している。起立部１２１は、排紙支持面３１から起立している。延部１２２は、起立部１２１の上端から右側に延びている。先端部１２３は、延部１２２の右端から上方に延びている。ボス１２４は、先端部１２３から前側に突出している。
【００８６】
また、第一カバー３は、２個の軸１３１，１３２を備えている。軸１３１，１３２は、前後方向に延びる同一の直線上に配置されている。軸１３１は、第一カバー３の前面の右端部から前側に突出している。軸１３２は、第一カバー３の背面の右端部から後側に突出している。軸１３１，１３２の中心を通る直線により、第一カバー３の回動軸線１０１が形成されている。
【００８７】
第一カバー３は、軸１３１，１３２が筐体２の長穴（非図示）に挿入されることにより、筐体２に回動可能に支持されている。
【００８８】
そして、第一カバー３がカバー位置に位置し、第二カバー４が上位置に位置する状態では、第一カバー３のアーム１０５のボス１２４は、第二カバー４の下面１６１に当接している。前側のアーム１０４のボス１１４についても、ボス１２４と同様であり、第二カバー４の下面１６１に当接している。軸１３１，１３２は、長穴の下端に位置している。
【００８９】
第一カバー３が不使用位置に位置（図１参照）から第一カバー３が使用位置（図２参照）に変位されると、ボス１１４，１２４が第二カバー４から離間した状態となり、第二カバー４が左下がりに傾いた状態となる下位置に変位する。一方、第一カバー３が使用位置から不使用位置に変位されると、その変位の途中でボス１１４，１２４が第二カバー４の下面１６１に当接し、第二カバー４の左端部がボス１１４，１２４により持ち上げられて、第二カバー４が下位置から上位置に変位する。
【００９０】
第一カバー３の排紙支持面３１は、図７に示されるように、排紙支持面３１から突出し、左右方向に延びる突条部７４を一体的に備えている。
【００９１】
突条部７４は、前後方向に間隔を空けて複数本、たとえば、１３本備えられている。
【００９２】
これらの突条部７４のうち、図４において、給紙支持部３４の下側に位置する突条部７４および給紙支持部３５の下側に位置する突条部７４、すなわち、前端側の４本の突条部７４および後端側の４本の突条部７４は、第一突条部６１および第二突条部６２に分割して構成されている。第一突条部６１は、排紙支持面３１の右端部から、排紙ガイド部３２，３３の左右方向における略中央の位置まで延びている。第二突条部６２は、第一突条部６１の左側に間隔を空けた位置から排紙支持面３１の左端縁まで延びている。第一突条部６１および第二突条部６２は、上下方向に同じ高さ、たとえば、０．５ｍｍを有している。
【００９３】
第一突条部６１の左端６３、第二突条部６２の右端６４および排紙支持面３１における第一突条部６１と第二突条部６２との間の部分（面）である規制部６５により、第一突条部６１および第二突条部６２の各上端に対して凹んだ凹みが形成されている。
【００９４】
第一突条部６１の左端６３は、図９に示されるように、排紙支持面３１に対して、垂直に形成されている。
【００９５】
第二突条部６２の右端６４は、図９に示されるように、第一突条部６１に近づくにつれて高さが低くなるように形成されている。また、第一突条部６１の右端壁面６６は、排紙支持面３１の右端縁に近づくにつれて高さが低くなるように形成されている。
【００９６】
また、突条部７４のうちの前後方向の中央に位置する３本の突条部７４（以下、「第四突条部６７」という。）は、右端から左側に向けて徐々に高くなり、左右方向の途中から左端まで一定の高さを有するように形成されている。その一定の高さを有する部分は、第二突条部６２より上下方向に高い高さ、たとえば、２ｍｍを有している。
【００９７】
排紙積載部１２の排紙積載面２１は、図６に示されるように、露出領域６８を備えている。露出領域６８は、切欠１６により露出している。
【００９８】
排紙積載部１２の排紙積載面２１は、図４に示されるように、排紙積載面２１から突出し、排紙積載面２１に沿って左右方向に延びる第三突条部６９を一体的に備えている。
【００９９】
第三突条部６９は、前後方向に間隔を空けて複数本、たとえば、１８本備えられている。
【０１００】
第三突条部６９のうち、前後方向の中央に位置する４本の第三突条部６９に挟まれ、露出領域６８の右端部に位置する所定部７０は、その他の領域と比較して排紙積載面２１が下側に凹んでいる。これにより、所定部７０に位置する第三突条部６９は、その他の領域に位置する第三突条部６９と比較して、上下方向に高い高さ、たとえば、２ｍｍを有している。
【０１０１】
排紙積載部１２の所定部７０は、右端部の前後方向の中央部が右側に延出している。そのため、第一カバー３は、図３に示されるように、使用位置に位置する状態において、第一カバー３の排紙支持面３１における左端縁の前後方向中央の上面７１が排紙積載部１２の所定部７０の中央部における右側に延出した部分７２の下面に当接する。これにより、第一カバー３は、不使用位置から使用位置に向かう回動が使用位置で規制され、使用位置に位置決めされる。
【０１０２】
＜除電部＞
【０１０３】
画像読取装置１は、第一除電ブラシ８１および第二除電ブラシ８２を備えている。
【０１０４】
図３に示すように、第一除電ブラシ８１は、下経路４３の出口の上部から右側に延出する第一延部８３の右端縁に設けられている。第一除電ブラシ８１は、たとえば、導電性を有する繊維からなる。第一除電ブラシ８１は、第一延部８３の下面から右下側に突出して設けられ、前後方向において、シートが通過する範囲全体に設けられている。
【０１０５】
以下、図１０に示す給紙支持部３４についての説明では、上下、左右および前後の各方向について、第一カバー３が不使用位置（図１参照）に位置している状態を基準とする。
【０１０６】
給紙支持部３４，３５は、前後に対象な構成を有しているので、前側の給紙支持部３４の構成を取り上げて説明し、後側の給紙支持部３５の構成についての説明を省略する。
【０１０７】
給紙支持部３４は、図１０に示されるように、給紙されるシートＳ（図２参照）が載置される面と反対側の面１５１に、第一挿入壁部１５２、第二挿入壁部１５３、第三挿入壁部１５４および係止壁部１５５を備えている。
【０１０８】
第一挿入壁部１５２は、面１５１の前端部に立設されている。第一挿入壁部１５２は、面１５１の左右方向の略全幅にわたって延びている。
【０１０９】
第二挿入壁部１５３は、第一挿入壁部１５２の左端部の後側に立設されている。第二挿入壁部１５３は、第一挿入壁部１５２から後側に延び、屈曲して、左側に延びている。
【０１１０】
第三挿入壁部１５４は、第一挿入壁部１５２の右端部の後側に立設されている。第三挿入壁部１５４は、第一挿入壁部１５２から後側に延び、屈曲して、右側に延びている。
【０１１１】
係止壁部１５５は、第二挿入壁部１５３と第三挿入壁部１５４との間に配置されている。係止壁部１５５は、第一挿入壁部１５２と前後方向に間隔を空けて、第一挿入壁部１５２と平行をなして左右方向に延びている。係止壁部１５５には、係止孔１５６が前後方向に貫通して形成されている。
【０１１２】
給紙支持部３４が排紙ガイド部３２に取り付けられる際には、第一挿入壁部１５２は、排紙ガイド部３２の第一壁部９１と第六壁部９６および第八壁部９８との間に挿入される。第二挿入壁部１５３の後側に延びる部分は、排紙ガイド部３２の第八壁部９８と第九壁部９９との間に挿入される。第二挿入壁部１５３の左側に延びる部分は、排紙ガイド部３２の第二壁部９２と第九壁部９９との間に挿入される。第三挿入壁部１５４の後側に延びる部分は、排紙ガイド部３２の第六壁部９６と第七壁部９７との間に挿入される。第三挿入壁部１５４の右側に延びる部分は、排紙ガイド部３２の第二壁部９２と第七壁部９７との間に挿入される。そして、その挿入が完了すると、係止壁部１５５の係止孔１５６に排紙ガイド部３２の突起１００が後側から嵌り込み、係止壁部１５５と突起１００とが係合する。これにより、給紙支持部３４の排紙ガイド部３２への取付けが達成される。給紙支持部３４が排紙ガイド部３２に取り付けられた状態で、給紙支持部３４の面１５１に、排紙ガイド部３２の第一壁部９１、第二壁部９２、第三壁部９３、第四壁部９４、第五壁部９５、第六壁部９６および第八壁部９８の上端が当接する。
【０１１３】
また、給紙支持部３４の面１５１には、左右方向に延びる複数本の突条部１５７が突出して形成されている。
【０１１４】
給紙支持部３４は、右端部に第二延部８５を備えている。第二延部８５は、給紙支持部３４の右端縁から上側（第一カバー３の排紙支持面３１側）かつ左側（排紙方向下流側）に傾斜して延びている。
【０１１５】
第二除電ブラシ８２は、給紙支持部３４の第二延部８５に設けられている。第二除電ブラシ８２は、たとえば、導電性を有する繊維からなる。具体的に、第二除電ブラシ８２の右端部が、第二延部８５の排紙支持面３１と対向する側の面に沿って取り付けられ、第二除電ブラシ８２の左端部が、第二延部８５から排紙方向下流側に向けて突出している。図１０に示す例では、第二除電ブラシ８２は、第二延部８５の前後方向の中央から後ろ側の部分に取り付けられているが、前後方向の長さは、これに限定されるものではなく、排紙されるシートＳに接触可能な位置であればよい。
【０１１６】
排紙支持面３１に排紙されるシートＳは、下経路４３の出口から排出された後、排紙方向下流側の先端が第一延部８３の下面に当接し、その後、第一除電ブラシ８１に当接する。これにより、シートＳは、除電されるとともに、下側に向きを変えられ、排紙積載部１２に沿って右側に排出される。シートＳの搬送方向の長さが比較的長い場合、シートＳは、その排紙方向下流側の先端が排紙積載部１２の前傾斜部１７および後傾斜部１８の右端部の下面に当接して、下側に向きを変えられる。これにより、シートＳの先端が給紙積載部１１と給紙支持部３４との隙間に引っ掛かることが抑制される。その後、シートＳの排紙方向下流側の先端は、第二除電ブラシ８２に当接する。第二除電ブラシ８２は、第一カバー３の排紙支持面３１側かつ排紙方向下流側に傾斜して設けられているので、シートＳは、第二除電ブラシ８２により、さらに除電されるとともに、排紙支持面３１に沿って排出される。これにより、給紙支持部３４に備えられた突条部にシートＳの先端が当接することが抑制され、シートＳが傷つくことが抑制される。
【０１１７】
＜作用効果＞
【０１１８】
以上のように、第一カバー３の排紙支持面３１は、規制部６５を備えている。画像読取前のシートＳが排紙支持面３１へのシートＳの排出方向と逆方向から排紙支持面３１上に誤って差し入れられると、規制部６５により、そのシートＳの差し入れ（挿入）が規制される。その結果、シートＳが排紙積載部１２および第一カバー３の排紙支持面３１にセットされることを抑制できる。よって、ユーザの使い勝手を向上することができる。
【０１１９】
第一カバー３の排紙支持面３１は、給紙支持部３４，３５に向けて突出し、排紙支持面３１に沿って左右方向に延びる第一突条部６１と、第一突条部６１に対して、図７における左側に間隔を空けて設けられ、給紙支持部３４，３５に向けて突出して、排紙支持面３１に沿って左右方向に延びる第二突条部６２とを備えている。規制部６５は、第一突条部６１と第二突条部６２との間に生じる凹みを形成する面である。
【０１２０】
これにより、第一突条部６１と第二突条部６２との間において凹みを形成する面と、第一突条部６１の上端とに段差が生じるので、シートＳが排出方向と逆方向から第一カバー３の排紙支持面３１に誤って差し入れられると、そのシートＳの先端は、凹みに入り込んで、第一突条部６１に当接する。これにより、それ以上のシートＳの挿入が規制される。その結果、シートＳが排紙積載部１２および第一カバー３に誤ってセットされることを抑制できるとともに、その誤りをユーザに知らせることができる。
【０１２１】
第二突条部６２は、搬送方向上流端の端部の高さが第一突条部６１に近づくにつれて低くなるように設定されている。
【０１２２】
これにより、シートＳが排出方向と逆方向から第一カバー３の排紙支持面３１上に差し入れられたときに、シートＳの先端が第二突条部６２の上端に案内されることにより第一突条部６１と第二突条部６２との間の凹みに入りやすい。そのため、シートＳが排紙積載部１２および第一カバー３の排紙支持面３１にセットされることを一層抑制することができる。また、第一カバー３の排紙支持面３１上に排出される画像読取後のシートＳの先端が第一突条部６１と第二突条部６２との間の凹みに入り込んでも、シートＳの排出が進むと、シートＳの先端が第二突条部６２の上端に案内されることにより凹みから脱出する。よって、シートＳを第一カバー３の排紙支持面３１上に良好に排出することができる。
【０１２３】
給紙積載部１１は、排紙積載部１２および第一カバー３の上方に位置し、前後方向に延び、前後方向の中央部が切り欠かれた切欠１６を有している。排紙積載部１２は、左右方向に延びる第三突条部６９を備えると共に、給紙積載部１１の切欠１６を介して露出する露出領域６８を有している。露出領域６８における搬送方向下流側にある所定部７０は、第三突条部６９の高さが、それ以外の第三突条部６９の高さよりも高く設定されている。
【０１２４】
排紙積載部１２および第一カバー３に排出されるシートＳの搬送方向の長さが比較的短い場合、シートＳの搬送方向下流端が排紙積載部１２の右端部上に留まる。給紙積載部１１に切欠１６が設けられているので、切欠１６を利用することにより、給紙積載部１１が邪魔にならずに、その搬送方向の長さの短いシートＳを排紙積載部１２から容易に取り出すことができる。また、切欠１６を介してシートＳを視認することができるので、シートＳの取り残しを抑制することができる。
【０１２５】
また、第三突条部６９は、露出領域６８の所定部７０における高さがそれ以外の部分における高さよりも高く設定されているので、シートＳの搬送方向下流端と第三突条部６９が立設されている面との隙間を大きくすることができる。そのため、隙間を介して、ユーザが手指でシートＳを摘みやすく、シートＳを排紙積載部１２から容易に取り出すことができる。
【０１２６】
さらに、第三突条部６９の全体を高くした場合には、第三突条部６９の上端と給紙積載部１１との間の間隔が狭くなり、シートＳを排出する性能が低下するおそれがある。これに対し、第三突条部６９の一部である所定部７０だけが高くされることにより、シートＳの排出性能の低下を招くことなく、シートＳの取り出しやすさを向上させることができる。
【０１２７】
所定部７０における第三突条部６９同士の間は、所定部７０以外における第三突条部６９同士の間よりも下方に凹んでいる。
【０１２８】
これにより、第三突条部６９の上端縁の位置を所定部７０とそれ以外の部分とで同じにしたまま、所定部７０における第三突条部６９の高さをそれ以外の部分の高さより高く設定できる。そのため、第三突条部６９の上端と給紙積載部１１との間隔を小さくせずに、シートＳの取り出しやすさを向上させることができる。
【０１２９】
規制部６５は、給紙支持部３４，３５の下方に設けられている。
【０１３０】
これにより、規制部６５は、給紙支持部３４，３５によって覆われるので、規制部６５が設けられることによる見栄えの低下を抑制できる。
【０１３１】
第一カバー３の排紙支持面３１は、露出領域６８における所定部７０に対する右側であって、第二突条部６２に対して前後方向に隣接して設けられ、左右方向に延びる第四突条部６７を備えている。第四突条部６７は、その高さが第二突条部６２の高さよりも高く設定されていている。
【０１３２】
これにより、第四突条部６７の高さが第二突条部６２の高さよりも高く設定されているので、第一カバー３の排紙支持面３１に排出されるシートＳの搬送方向の長さが比較的長い場合に、シートＳの搬送方向下流端と第一カバー３の排紙支持面３１との隙間を大きくすることができる。そのため、ユーザが隙間を介して手指でシートＳを摘みやすく、シートＳを第一カバー３の排紙支持面３１から容易に取り出すことができる。また、第一カバー３上の排紙支持面３１において、シートＳは、前後方向の中央が前後方向の両端よりも給紙支持部３４，３５側に膨出した状態に排出される。そのため、シートＳに腰を持たせることができ、排紙支持面３１に複数枚シートＳが排紙される場合に、積載性を向上することができる。また、シートＳの前後方向の両端が第一カバー３の排紙支持面３１から浮くことが抑制され、シートＳが第一カバー３の外周縁に乗り上げることを抑制できる。
【０１３３】
給紙支持部３４，３５は、給紙積載部１１に対して右側に位置する第一位置と、給紙積載部１１に対して上方から対向する第二位置との間で変位可能に構成されていている。
【０１３４】
給紙支持部３４，３５を給紙積載部１１に対する上方の位置に変位可能に構成し、かつ、装置１を上下方向に小型化するためには、給紙積載部１１および給紙支持部３４，３５と排紙積載部１２および第一カバー３との間隔を小さくする必要がある。給紙積載部１１および給紙支持部３４，３５と排紙積載部１２および第一カバー３との間隔が小さくても、シートＳが第一カバー３の排紙支持面３１に誤ってセットされることを抑制できる。また、給紙積載部１１および給紙支持部３４，３５と排紙積載部１２および第一カバー３との間隔が小さくても、シートＳを第一カバー３の排紙支持面３１から容易に取り出すことができる。
【０１３５】
給紙支持部３４，３５における左側の端部に設けられ、給紙支持部３４，３５から第一カバー３の排紙支持面３１側に突出し、第一カバー３の排紙支持面３１に排出されるシートＳを除電する第二除電ブラシ８２を備えている。
【０１３６】
第二除電ブラシ８２により、第一カバー３の排紙支持面３１に排出されるシートＳが除電されるため、静電気によってシートＳが給紙支持部３４，３５の下面に張り付くことを抑制できる。また、第二除電ブラシ８２は、給紙積載部１１および給紙支持部３４，３５から排紙積載部１２および第一カバー３側に突出して設けられているので、第二除電ブラシ８２により、シートＳの先端が下側に向かうように、シートＳを案内することができる。
【０１３７】
第一カバー３は、排紙積載部１２に対する右側に位置する使用位置と、排紙積載部１２に対して上方から対向する不使用位置とに変位可能に構成されている。第一カバー３は、排紙積載部１２における排出方向下流側の端部に沿って前後方向に延びる軸線１０１を中心に回動可能に排紙積載部１２に連結され、回動により、使用位置と不使用位置とに変位する。第三突条部６９は、排紙積載部１２に形成されており、所定部７０は、第一カバー３が使用位置に位置する状態で、第一カバー３の左側の端部の上面が当接して、第一カバー３のそれ以上の回動を規制している。
【０１３８】
そのため、第一カバー３の排紙積載部１２側の端縁は、排紙積載部１２より下側に位置する。その結果、第一カバー３の排紙積載面２１上に排出されるシートＳの右端縁が排紙積載部１２と第一カバー３との隙間に引っ掛かることを抑制できる。
【０１３９】
＜変形例＞
【０１４０】
以上、本発明の一実施形態について説明したが、本発明は、他の形態で実施することもできる。
【０１４１】
たとえば、図１１に示されるように、第二突条部１７２の右端１７５の高さが第一突条部１７１の左端１７４の高さよりも低く設定されていてもよい。
【０１４２】
具体的には、第一突条部１７１は、左右方向に一定の高さを有している。第一突条部１７１の左端１７４は、第一カバー３の排紙支持面３１に対し垂直に形成されている。第二突条部１７２は、左右方向に一定の高さを有している。第二突条部１７２の右端１７５は、排紙支持面３１に対し垂直に形成されている。第二突条部１７２は、高さは、第一突条部６１の高さよりも低く設定されている。
【０１４３】
これにより、シートＳが排出方向と逆方向から第一カバー３の排紙支持面３１上に差し入れられたときに、シートＳの先端が第一突条部１７１の左端１７４に当接しやすい。そのため、シートＳが排紙積載部１２および第一カバー３にセットされることを一層抑制することができる。また、排紙支持面３１上に排出される画像読取後のシートＳは、第二突条部１７２の右端１７５に当接しにくくなる。よって、シートＳを排紙支持面３１上に良好に排出することができる。
【０１４４】
その他、前述の構成には、特許請求の範囲に記載された事項の範囲で種々の設計変更を施すことが可能である。
【符号の説明】
【０１４５】
１    画像読取装置
３    第一カバー
１１  給紙積載部
１２  排紙積載部
１６  切欠
３４  給紙支持部
３５  給紙支持部
５５  イメージセンサモジュール
６１  第一突条部
６２  第二突条部
６５  規制部
６７  第四突条部
６８  露出領域
６９  第三突条部
７０  所定部
８２  第二除電ブラシ
Ｓ    シート
【図１】
2015122554.tif 000003
【図２】
2015122554.tif 000004
【図３】
2015122554.tif 000005
【図４】
2015122554.tif 000006
【図５】
2015122554.tif 000007
【図６】
2015122554.tif 000008
【図７】
2015122554.tif 000009
【図８】
2015122554.tif 000010
【図９】
2015122554.tif 000011
【図１０】
2015122554.tif 000012
【図１１】
2015122554.tif 000013